(57)【要約】【課題】画像データの表示品質の低下を抑制しつつ、画面のちらつきを低減することができる技術を提供する。【解決手段】本発明の表示装置は、発光手段と、表示手段と、フレーム毎に、そのフレームの画像データの明るさに応じた値に発光手段の発光輝度を制御する制御手段と、を有する表示装置において、フレーム毎に、そのフレームが、所定の低輝度画像データが表示される特定表示期間の直後のフレームか否かを判断するフレーム判断手段を有し、制御手段は、特定表示期間の直後のフレームでないと判断されたフレームについて、そのフレームの画像データの明るさに応じた値に発光輝度を制御し、特定表示期間の直後のフレームであると判断されたフレームについて、そのフレームの画像データの明るさに応じた値と所定の低輝度画像データの明るさに応じた値との間の値に、発光輝度を制御する。【選択図】図１
2015081996.tif 000002
【特許請求の範囲】
【請求項１】
発光手段と、
フレーム毎に、そのフレームの画像データに基づいて前記発光手段からの光を変調することで画面上に画像を表示する表示手段と、
フレーム毎に、そのフレームの画像データの明るさに応じた値に前記発光手段の発光輝度を制御する制御手段と、
を有する表示装置において、
フレーム毎に、そのフレームが、所定の低輝度画像データが表示される特定表示期間の直後のフレームか否かを判断するフレーム判断手段を有し、
前記制御手段は、
前記フレーム判断手段で前記特定表示期間の直後のフレームでないと判断されたフレームについて、そのフレームの画像データの明るさに応じた値に発光輝度を制御し、
前記フレーム判断手段で前記特定表示期間の直後のフレームであると判断されたフレームについて、そのフレームの画像データの明るさに応じた値と前記所定の低輝度画像データの明るさに応じた値との間の値に、発光輝度を制御する
ことを特徴とする表示装置。
【請求項２】
前記特定表示期間は、前記表示装置に画像データが入力されない期間である
ことを特徴とする請求項１に記載の表示装置。
【請求項３】
前記表示装置の動作モードが切り替えられたときに、切り替え前の動作モードの期間と切り替え後の動作モードの期間との間に前記特定表示期間を設定する設定手段をさらに有する
ことを特徴とする請求項１または２に記載の表示装置。
【請求項４】
前記所定の低輝度画像データは、黒画像データである
ことを特徴とする請求項１〜３のいずれか１項に記載の表示装置。
【請求項５】
前記制御手段は、前記フレーム判断手段で前記特定表示期間の直後のフレームであると判断されたフレームについて、そのフレームの画像データの明るさと所定の高輝度画像データの明るさとの差分に応じた変化量で直前のフレームについての発光輝度を変化させた値に、発光輝度を制御する
ことを特徴とする請求項１〜４のいずれか１項に記載の表示装置。
【請求項６】
前記所定の高輝度画像データは、白画像データである
ことを特徴とする請求項５に記載の表示装置。
【請求項７】
前記所定の高輝度画像データは、白画像データの明るさの半分の明るさよりも明るい画像データである
ことを特徴とする請求項５に記載の表示装置。
【請求項８】
前記制御手段は、前記フレーム判断手段で前記特定表示期間の直後のフレームでないと判断されたフレームについて、そのフレームの画像データの明るさと直前のフレームの画像データの明るさとの差分に応じた変化量で直前のフレームについての発光輝度を変化させた値に、発光輝度を制御する
ことを特徴とする請求項１〜７のいずれか１項に記載の表示装置。
【請求項９】
前記フレーム判断手段で前記特定表示期間の直後のフレームであると判断されたフレームについて、そのフレームの画像データの明るさに応じた値に発光輝度を制御した場合に
ちらつきが発生するか否かを判断するちらつき判断手段をさらに有し、
前記制御手段は、
前記フレーム判断手段で前記特定表示期間の直後のフレームであると判断され、且つ、前記ちらつき判断手段でちらつきが発生しないと判断されたフレームについて、そのフレームの画像データの明るさに応じた値に発光輝度を制御し、
前記フレーム判断手段で前記特定表示期間の直後のフレームであると判断され、且つ、前記ちらつき判断手段でちらつきが発生すると判断されたフレームについて、そのフレームの画像データの明るさに応じた値と前記所定の低輝度画像データの明るさに応じた値との間の値に、発光輝度を制御する
ことを特徴とする請求項１〜８のいずれか１項に記載の表示装置。
【請求項１０】
前記ちらつき判断手段は、前記フレーム判断手段で前記特定表示期間の直後のフレームであると判断されたフレームについて、そのフレームの画像データの明るさが第１の閾値以上の場合にちらつきが発生しないと判断し、当該フレームの画像データの明るさが前記第１の閾値未満の場合にちらつきが発生すると判断する
ことを特徴とする請求項９に記載の表示装置。
【請求項１１】
前記ちらつき判断手段は、前記フレーム判断手段で前記特定表示期間の直後のフレームであると判断されたフレームについて、そのフレームの画像データの明るさと前記特定表示期間の直前のフレームの画像データの明るさとの差分が第２の閾値以上の場合にちらつきが発生しないと判断し、前記差分が前記第２の閾値未満の場合にちらつきが発生すると判断する
ことを特徴とする請求項９に記載の表示装置。
【請求項１２】
発光手段と、
フレーム毎に、そのフレームの画像データに基づいて前記発光手段からの光を変調することで画面上に画像を表示する表示手段と、
を有する表示装置の制御方法であって、
フレーム毎に、そのフレームが、所定の低輝度画像データが表示される特定表示期間の直後のフレームか否かを判断するフレーム判断ステップと、
フレーム毎に、そのフレームの画像データの明るさに応じた値に前記発光手段の発光輝度を制御する制御ステップと、
を有し、
前記制御ステップでは、
前記フレーム判断ステップで前記特定表示期間の直後のフレームでないと判断されたフレームについて、そのフレームの画像データの明るさに応じた値に発光輝度を制御し、
前記フレーム判断ステップで前記特定表示期間の直後のフレームであると判断されたフレームについて、そのフレームの画像データの明るさに応じた値と前記所定の低輝度画像データの明るさに応じた値との間の値に、発光輝度を制御する
ことを特徴とする表示装置の制御方法。
【請求項１３】
前記特定表示期間は、前記表示装置に画像データが入力されない期間である
ことを特徴とする請求項１２に記載の表示装置の制御方法。
【請求項１４】
前記表示装置の動作モードが切り替えられたときに、切り替え前の動作モードの期間と切り替え後の動作モードの期間との間に前記特定表示期間を設定する設定ステップをさらに有する
ことを特徴とする請求項１２または１３に記載の表示装置の制御方法。
【請求項１５】
前記所定の低輝度画像データは、黒画像データである
ことを特徴とする請求項１２〜１４のいずれか１項に記載の表示装置の制御方法。
【請求項１６】
前記制御ステップでは、前記フレーム判断ステップで前記特定表示期間の直後のフレームであると判断されたフレームについて、そのフレームの画像データの明るさと所定の高輝度画像データの明るさとの差分に応じた変化量で直前のフレームについての発光輝度を変化させた値に、発光輝度を制御する
ことを特徴とする請求項１２〜１５のいずれか１項に記載の表示装置の制御方法。
【請求項１７】
前記所定の高輝度画像データは、白画像データである
ことを特徴とする請求項１６に記載の表示装置の制御方法。
【請求項１８】
前記所定の高輝度画像データは、白画像データの明るさの半分の明るさよりも明るい画像データである
ことを特徴とする請求項１６に記載の表示装置の制御方法。
【請求項１９】
前記制御ステップでは、前記フレーム判断ステップで前記特定表示期間の直後のフレームでないと判断されたフレームについて、そのフレームの画像データの明るさと直前のフレームの画像データの明るさとの差分に応じた変化量で直前のフレームについての発光輝度を変化させた値に、発光輝度を制御する
ことを特徴とする請求項１２〜１８のいずれか１項に記載の表示装置の制御方法。
【請求項２０】
前記フレーム判断ステップで前記特定表示期間の直後のフレームであると判断されたフレームについて、そのフレームの画像データの明るさに応じた値に発光輝度を制御した場合にちらつきが発生するか否かを判断するちらつき判断ステップをさらに有し、
前記制御ステップでは、
前記フレーム判断ステップで前記特定表示期間の直後のフレームであると判断され、且つ、前記ちらつき判断ステップでちらつきが発生しないと判断されたフレームについて、そのフレームの画像データの明るさに応じた値に発光輝度を制御し、
前記フレーム判断ステップで前記特定表示期間の直後のフレームであると判断され、且つ、前記ちらつき判断ステップでちらつきが発生すると判断されたフレームについて、そのフレームの画像データの明るさに応じた値と前記所定の低輝度画像データの明るさに応じた値との間の値に、発光輝度を制御する
ことを特徴とする請求項１２〜１９のいずれか１項に記載の表示装置の制御方法。
【請求項２１】
前記ちらつき判断ステップでは、前記フレーム判断ステップで前記特定表示期間の直後のフレームであると判断されたフレームについて、そのフレームの画像データの明るさが第１の閾値以上の場合にちらつきが発生しないと判断し、当該フレームの画像データの明るさが前記第１の閾値未満の場合にちらつきが発生すると判断する
ことを特徴とする請求項２０に記載の表示装置の制御方法。
【請求項２２】
前記ちらつき判断ステップでは、前記フレーム判断ステップで前記特定表示期間の直後のフレームであると判断されたフレームについて、そのフレームの画像データの明るさと前記特定表示期間の直前のフレームの画像データの明るさとの差分が第２の閾値以上の場合にちらつきが発生しないと判断し、前記差分が前記第２の閾値未満の場合にちらつきが発生すると判断する
ことを特徴とする請求項２０に記載の表示装置の制御方法。
【請求項２３】
請求項１２〜２２のいずれか１項に記載の表示装置の制御方法の各ステップをコンピュータに実行させることを特徴とするプログラム。
【発明の詳細な説明】
【技術分野】
【０００１】
本発明は、表示装置、表示装置の制御方法、及び、プログラムに関する。
【背景技術】
【０００２】
液晶表示装置において、表示画像の品質（コントラストなど）を向上すること目的として、画像データの明るさに応じてバックライトの発光輝度を動的に制御する技術がある。
しかし、画像データに応じてバックライトの発光輝度を動的に制御すると、画像データが低輝度画像データから高輝度画像データへ変化した場合などにおいて、バックライトの発光輝度が急激に変化してしまい、画面のちらつきが発生してしまう。
【０００３】
このようなちらつきを低減する技術は、例えば、特許文献１，２に開示されている。
特許文献１に開示の技術では、非黒画像データへの切り替わり前の黒画像データの表示中にバックライトの発光輝度が所定値に制御される。それにより、バックライトの発光輝度の急激な変化を低減することができ、画面のちらつきを低減することができる。
特許文献２に開示の技術では、入力画像データの明るさに応じてバックライトの目標輝度が決定される。そして、ちらつきが生じない程度の輝度変化量（バックライトの発光輝度の変化量）を目標輝度と現在のバックライトの発光輝度との差に応じて決定し、決定した輝度変化量だけバックライトの発光輝度を変化させる処理が繰り返される。それにより、バックライトの発光輝度が目標輝度へ段階的に近づけられる。このような構成によれば、バックライトの発光輝度の変化量がちらつきが生じない程度の変化量に制限されるため、画面のちらつきを低減することができる。
【先行技術文献】
【特許文献】
【０００４】
【特許文献１】特開２０１２−０３７７７１号公報
【特許文献２】特開２０１１−１８０４５５号公報
【発明の概要】
【発明が解決しようとする課題】
【０００５】
しかしながら、特許文献１に開示の技術では、黒画像データの表示中にバックライトの発光輝度が所定値に制御されるため、黒画像データの表示品質が低下してしまう。具体的には、黒画像データの表示時に黒浮きが発生してしまう。
また、特許文献２に開示の技術では、バックライトの発光輝度の変化量をちらつきが生じない程度の変化量に制限して、バックライトの発光輝度が目標輝度へ段階的に近づけられる。そのため、バックライトの発光輝度を目標輝度に制御するまでに長時間要してしまい、入力画像データの表示品質が低下してしまうことがある。
このように、従来の技術では、バックライト（発光部）の発光輝度を画像データの明るさに応じて動的に制御することにより発生するちらつきを低減することはできるものの、画像データの表示品質の低下が生じてしまう。
【０００６】
本発明は、画像データの表示品質の低下を抑制しつつ、画面のちらつきを低減することができる技術を提供することを目的とする。
【課題を解決するための手段】
【０００７】
本発明の第１の態様は、
発光手段と、
フレーム毎に、そのフレームの画像データに基づいて前記発光手段からの光を変調する
ことで画面上に画像を表示する表示手段と、
フレーム毎に、そのフレームの画像データの明るさに応じた値に前記発光手段の発光輝度を制御する制御手段と、
を有する表示装置において、
フレーム毎に、そのフレームが、所定の低輝度画像データが表示される特定表示期間の直後のフレームか否かを判断するフレーム判断手段を有し、
前記制御手段は、
前記フレーム判断手段で前記特定表示期間の直後のフレームでないと判断されたフレームについて、そのフレームの画像データの明るさに応じた値に発光輝度を制御し、
前記フレーム判断手段で前記特定表示期間の直後のフレームであると判断されたフレームについて、そのフレームの画像データの明るさに応じた値と前記所定の低輝度画像データの明るさに応じた値との間の値に、発光輝度を制御する
ことを特徴とする表示装置である。
【０００８】
本発明の第２の態様は、
発光手段と、
フレーム毎に、そのフレームの画像データに基づいて前記発光手段からの光を変調することで画面上に画像を表示する表示手段と、
を有する表示装置の制御方法であって、
フレーム毎に、そのフレームが、所定の低輝度画像データが表示される特定表示期間の直後のフレームか否かを判断するフレーム判断ステップと、
フレーム毎に、そのフレームの画像データの明るさに応じた値に前記発光手段の発光輝度を制御する制御ステップと、
を有し、
前記制御ステップでは、
前記フレーム判断ステップで前記特定表示期間の直後のフレームでないと判断されたフレームについて、そのフレームの画像データの明るさに応じた値に発光輝度を制御し、
前記フレーム判断ステップで前記特定表示期間の直後のフレームであると判断されたフレームについて、そのフレームの画像データの明るさに応じた値と前記所定の低輝度画像データの明るさに応じた値との間の値に、発光輝度を制御する
ことを特徴とする表示装置の制御方法である。
【０００９】
本発明の第３の態様は、上述した表示装置の制御方法の各ステップをコンピュータに実行させることを特徴とするプログラムである。
【発明の効果】
【００１０】
本発明によれば、画像データの表示品質の低下を抑制しつつ、画面のちらつきを低減することができる。
【図面の簡単な説明】
【００１１】
【図１】実施例１に係る表示装置の構成の一例を示すブロック図
【図２】実施例１の効果の一例を示す図
【図３】実施例１に係る表示装置の処理フローの一例を示すフローチャート
【図４】実施例２に係る表示装置の構成の一例を示すブロック図
【図５】実施例２に係る表示装置の処理フローの一例を示すフローチャート
【図６】従来の技術を用いた場合の動作の一例を示す図
【図７】従来の技術を用いた場合の動作の一例を示す図
【図８】従来の技術を用いた場合の動作の一例を示す図
【発明を実施するための形態】
【００１２】
＜実施例１＞
以下、図面を参照しながら、本発明の実施例１に係る表示装置及びその制御方法について説明する。
なお、以下では、本実施例に係る表示装置が、透過型の液晶表示装置である場合の例を説明するが、本実施例に係る表示装置はこれに限らない。本実施例に係る表示装置は、発光部から発せられた光を変調することで画面に画像を表示する表示装置であればよい。例えば、本実施例に係る表示装置は、反射型の液晶表示装置であってもよい。また、本実施例に係る表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイであってもよい。
【００１３】
フレーム毎に、そのフレームの画像データの明るさに応じた値に発光部（バックライト）の発光輝度を制御すると、所定の低輝度画像データが表示される特定表示期間後に画面のちらつきが生じてしまう。そして、従来の技術を用いてそのような画面のちらつきを低減すると、画像データの表示品質の低下が生じてしまう。
本実施例では、画像データの表示品質の低下を抑制しつつ、画面のちらつきを低減することのできる構成について説明する。
【００１４】
本実施例では、バックライトの発光輝度の決定方法が異なる複数のバックライト制御モードが選択可能である。バックライト制御モードが切り替えられると、バックライトの発光輝度の決定方法が切り替えられる。しかしながら、バックライトの発光輝度の決定方法が変化すると、バックライトの発光輝度が一時的に定まらない虞がある。そこで、本実施例では、バックライト制御モードが切り替えられたときに、切り替え前のバックライト制御モードの期間と切り替え後のバックライト制御モードの期間との間に特定表示期間を設定（挿入）する。
本実施例では、特定表示期間において、表示装置への画像データの入力が遮断される（画像ミュート）。そして、所定の低輝度画像データが表示されるように、表示部（液晶パネル）の透過率、及び、バックライトの発光輝度が制御される。
【００１５】
（全体構成）
図１は、本実施例に係る表示装置１の構成の一例を示すブロック図である。
図１に示すように、表示装置１は、第１処理部１０、第２処理部２０、バックライト３０、液晶パネル４０、画像分割部５０、などを有する。
【００１６】
バックライト３０は、液晶パネル４０の背面に光を照射する発光部である。本実施例では、バックライト３０は、画面の領域を構成する複数の分割領域に対応する複数の光源を有する。複数の光源の発光輝度は個別に制御することができる。光源は、インバータで生成される交流電圧（パルス信号）が供給されることで発光する１つ以上の発光素子を有する。発光素子としては、例えば、ＬＥＤ（Ｌｉｇｈｔ  Ｅｍｉｔｔｉｎｇ  Ｄｉｏｄｅ）、有機ＥＬ、冷陰極管、等を用いることができる。
【００１７】
液晶パネル４０は、フレーム毎に、そのフレームの画像データに基づく透過率でバックライト３０からの光を透過することで画面上に画像を表示する表示部である。
【００１８】
画像分割部５０は、高解像度の画像データを用いた処理を行うために、表示装置１に入力された画像データ（入力画像データ）を複数の分割画像データに分割する。本実施例では、入力画像データが、入力画像領域（入力画像データの画像領域）を構成する左右２つの分割画像領域の２つの分割画像データに分割される。例えば、入力画像データは、入力画像領域の左半分の画像領域の分割画像データ、及び、入力画像領域の右半分の画像領域の分割画像データに分割される。そして、画像分割部５０は、２つの分割画像データの一
方を第１処理部１０に出力し、他方を第２処理部２０に出力する。なお、入力画像データは、画像サイズが同じ複数の分割画像データに分割されてもよいし、そうでなくてもよい。
【００１９】
第１処理部１０と第２処理部２０では、表示画像（画面に表示された画像）のコントラストが向上されるように、画像処理や発光輝度制御が行われる。具体的には、フレーム毎に、そのフレームの画像データの明るさに応じた値にバックライト３０の発光輝度が制御される。そして、フレーム毎に、そのフレームの画像データが、バックライト３０の発光輝度に基づく画像処理が施されて、液晶パネル４０に出力される。そのため、液晶パネル４０は、画像処理後の画像データに基づく透過率でバックライト３０からの光を透過する。
【００２０】
（処理部）
図１に示すように、第１処理部１０は、ミュート制御部１０１、特徴量取得部１０２、特徴量転送部１０３、演算部１０４、画像補正部１０５、ユーザ操作部１０６、制御部１０７、ちらつき判断部１０８、などを有する。
第２処理部２０は、ミュート制御部２０１、特徴量取得部２０２、特徴量転送部２０３、演算部２０４、画像補正部２０５、ちらつき判断部２０８、などを有する。
【００２１】
ミュート制御部１０１，２０１は、特定表示期間に、表示装置１への入力画像データの入力を遮断する。具体的には、ミュート制御部１０１は、特定表示期間に、第１処理部１０への分割画像データの入力を遮断する。同様に、ミュート制御部２０１は、特定表示期間に、第２処理部２０への分割画像データの入力を遮断する。
【００２２】
特徴量取得部１０２，２０２と特徴量転送部１０３，２０３により、入力画像データの明るさを示す特徴量が取得される。本実施例では、特徴量として、入力画像データの平均輝度値が取得される。
具体的には、特徴量取得部１０２は、第１処理部１０に入力された分割画像データの特徴量を取得する。同様に、特徴量取得部２０２は、第２処理部２０に入力された分割画像データの特徴量を取得する。
特徴量転送部１０３は、特徴量取得部１０２で取得された特徴量を第２処理部２０に出力し、特徴量取得部２０２で取得された特徴量を第２処理部２０から取得する。そして、特徴量転送部１０３は、特徴量取得部１０２で取得された特徴量と特徴量取得部２０２で取得された特徴量とから、入力画像データの特徴量を取得する。同様に、特徴量転送部２０３は、特徴量取得部２０２で取得された特徴量を第１処理部１０に出力し、特徴量取得部１０２で取得された特徴量を第１処理部１０から取得する。そして、特徴量転送部２０３は、特徴量取得部１０２で取得された特徴量と特徴量取得部２０２で取得された特徴量とから、入力画像データの特徴量を取得する。
【００２３】
演算部１０４，２０４は、設定されているバックライト制御モードに応じた決定方法で、入力画像データの特徴量からバックライト３０の目標輝度を決定する。そして、演算部１０４は、決定された目標輝度にバックライト３０の発光輝度を制御する。具体的には、演算部１０４，２０４は、入力画像データの特徴量から、目標輝度が高いほど大きいバックライト制御値を決定する。そして、演算部１０４は、決定したバックライト制御値をバックライト３０に出力する。それにより、演算部１０４で決定されたバックライト制御値でバックライト３０が駆動され、演算部１０４で決定されたバックライト制御値に対応する目標輝度にバックライト３０の発光輝度が制御される。
【００２４】
なお、特定表示期間では、所定の低輝度画像データから特徴量が取得される。そして、特定表示期間の前に設定されていたバックライト制御モードに応じた決定方法で、取得さ
れた特徴量から目標輝度が決定される。本実施例では、所定の低輝度画像データが輝度値０の黒画像データであり、目標輝度として０（消灯）が得られる。
しかし、特定表示期間における処理はこれに限らない。例えば、所定の低輝度画像データの特徴量が予め定められていてもよい。また、特定表示期間における目標輝度（バックライト制御値）が予め定められていてもよい。そして、予め定められた目標輝度にバックライト３０の発光輝度が制御されてもよい。
なお、演算部２０４は、目標輝度（バックライト制御値）を決定する処理を行わなくてもよい。演算部２０４は、演算部１０４から目標輝度を取得してもよい。
【００２５】
また、演算部１０４，２０４は、決定した目標輝度（バックライト制御値）に基づいて、入力画像データを補正する画像補正値を決定する。具体的には、演算部１０４は、決定したバックライト制御値に基づいて、第１処理部１０に入力された分割画像データを補正する画像補正値を決定する。そして、演算部１０４は、決定した画像補正値を画像補正部１０５に出力する。同様に、演算部２０４は、決定したバックライト制御値に基づいて、第２処理部２０に入力された分割画像データを補正する画像補正値を決定する。そして、演算部２０４は、決定した画像補正値を画像補正部２０５に出力する。
【００２６】
画像補正部１０５，２０５は、演算部１０４，２０４で決定された画像補正値を用いた画像処理を、入力画像データに施す。具体的には、画像補正部１０５は、演算部１０４で決定された画像補正値を用いた画像処理を、第１処理部１０に入力された分割画像データに施す。そして、画像補正部１０５は、画像処理が施された分割画像データを液晶パネル４０に出力する。同様に、画像補正部２０５は、演算部２０４で決定された画像補正値を用いた画像処理を、第２処理部２０に入力された分割画像データに施す。そして、画像補正部２０５は、画像処理が施された分割画像データを液晶パネル４０に出力する。
液晶パネル４０は、画像処理が施された２つの分割画像データを１つの合成画像データに合成し、合成画像データに基づいてバックライト３０からの光の透過率を制御する。
【００２７】
なお、特定表示期間でも、他の期間と同様に、画像補正値が決定される。そして、決定された画像補正値を用いた画像処理が所定の低輝度画像データに施され、画像処理が施された低輝度画像データが液晶パネル４０に入力される。本実施例では、画像補正値として、画像データの値を変換しない値が得られ、黒画像データが液晶パネル４０に入力される。
しかし、特定表示期間における処理はこれに限らない。例えば、所定の低輝度画像データに画像処理を施した画像データ（所定の処理画像データ）が予め定められていてもよい。そして、所定の処理画像データが液晶パネル４０に入力されてもよい。また、所定の低輝度画像データの画像補正値が予め定められていてもよい。そして、予め定められた画像補正値を用いた画像処理が所定の低輝度画像データに施され、画像処理後の低輝度画像データが液晶パネル４０に入力されてもよい。所定の低輝度画像データが黒画像データであり、特定表示期間における目標輝度が０の場合には、画像処理を行わずに黒画像データが液晶パネル４０に入力されてもよい。
【００２８】
ユーザ操作部１０６は、ユーザ操作を受け付ける。例えば、ユーザ操作部１０６は、バックライト制御モードを選択するユーザ操作を受け付ける。そして、ユーザ操作部１０６は、ユーザが選択したバックライト制御モードを示す選択情報を制御部１０７に出力する。
なお、ユーザ操作部１０６は、第１処理部１０とは別体の機能部であってもよい。
【００２９】
制御部１０７は、ユーザ操作部１０６から入力された選択情報で示されたバックライト制御モードを、演算部１０４，２０４に設定する。また、制御部１０７は、設定するバックライト制御モードが切り替えられたときに、入力画像データ（具体的には分割画像デー
タ）の入力を遮断する画像ミュート指示をミュート制御部１０１，２０１に出力する。換言すれば、制御部１０７は、設定するバックライト制御モードが切り替えられたときに、特定表示期間を設定する。さらに、制御部１０７は、フレーム毎に、そのフレームが特定表示期間の直後のフレームか否かを判断し、判断結果を演算部１０４，２０４に出力する（フレーム判断）。
なお、制御部１０７は、第１処理部１０とは別体の機能部であってもよい。
【００３０】
ちらつき判断部１０８，２０８は、制御部１０７で特定表示期間の直後のフレームであると判断されたフレームについて、そのフレームの入力画像データの明るさに応じた値にバックライト３０の発光輝度を制御した場合にちらつきが発生するか否かを判断する。本実施例では、ちらつき判断部１０８，２０８は、制御部１０７からの通知（現フレームが特定表示期間の直後のフレームであることの通知）をトリガとして、ちらつきが発生するか否かの判断を行う。そして、ちらつき判断部１０８は、ちらつきが発生するか否かの判断結果を演算部１０４に出力し、ちらつき判断部２０８は、ちらつきが発生するか否かの判断結果を演算部２０４に出力する。現フレームは、表示対象のフレームである。
なお、ちらつき判断部１０８，２０８は、第１処理部１０や第２処理部２０とは別体の機能部であってもよい。
【００３１】
（バックライト制御値と画像補正値の決定方法）
バックライト制御値は、特徴量とバックライト制御値の対応関係を示す情報（関数やテーブル）を用いて、取得された入力画像データの特徴量に応じて決定される。
本実施例では、第１バックライト制御モードと第２バックライト制御モードの２つの動作モードが設定可能であるものとする。
第１バックライト制御モードが設定されている場合には、入力画像データ全体の明るさを示す特徴量が取得される。そして、入力画像データ全体の明るさを示す特徴量に応じて、各光源に共通のバックライト制御値が決定される。第１バックライト制御モードでは、画面内における黒色の表示輝度を均一にすることができ、且つ、黒浮きを低減することができる。
第２バックライト制御モードが設定されている場合には、入力画像データの特徴量として、分割領域毎の特徴量（対応する分割領域に表示すべき画像データの特徴量）が取得される。そして、分割領域毎に、その分割領域の特徴量に応じて、当該分割領域に対応する光源のバックライト制御値が決定される。第２バックライト制御モードでは、分割領域間で黒色の表示輝度にずれが生じることがあるが、第１バックライト制御モードよりも黒浮きを大きく低減することができる。
【００３２】
画像補正値は、以下の方法で決定される。
まず、分割領域毎に、その分割領域におけるバックライト輝度（バックライト３０から発せられ、液晶パネル４０に照射される光の輝度）が推測される。光源からの光は、他の分割領域へ漏れる。そのため、分割領域におけるバックライト輝度は、その分割領域に対応する光源からの光と他の光源からの漏れ光との合成光の輝度である。本実施例では、分割領域におけるバックライト輝度として、分割領域の中心位置におけるバックライト輝度が推測される。即ち、本実施例では、分割領域の中心位置が、バックライト輝度の推測点である。
具体的には、光源毎に、各推測点における減衰係数（光源からの光の減衰率）がバックライト制御値に乗算される。それにより、光源毎に、その光源からの光の各推測点における輝度が算出される。そして、分割領域毎に、各光源からの光の輝度（減衰係数が乗算されたバックライト制御値）の総和がバックライト輝度として算出される。なお、減衰係数は、予め定められていてもよいし、そうでなくてもよい。例えば、減衰係数は、光源からの距離と減衰係数との対応関係を示す減衰情報（関数やテーブル）を用いて決定されてもよい。
【００３３】
そして、分割領域毎に、推定されたバックライト輝度から補正係数が算出される。補正係数は、バックライト輝度の変化（上昇または低下）による表示輝度（画面上の輝度）の変化を補償するために画像データに乗算する係数である。本実施例では、以下の式１を用いて補正係数Ｇｐｎが算出される。式１において、Ｌｐｎは推測輝度（推測されたバックライト輝度）であり、Ｌｔは画像データの輝度値の目標値（輝度目標値）である。
Ｇｐｎ＝Ｌｔ／Ｌｐｎ  ・・・（式１）
輝度目標値Ｌｔは、例えば、分割領域内における画像データの最大輝度値である。
【００３４】
なお、本実施例では、画像補正値として、画像データに乗算する補正係数を決定する例を説明したが、画像補正値はこれに限らない。例えば、画像補正値として画像データに加算する加算値が決定されてもよい。
なお、本実施例では、分割領域毎の画像補正値を決定する例を説明したが、画像補正値はこれに限らない。例えば、分割領域よりも大きい又は小さい補正領域毎に、バックライト光の輝度が推測され、補正領域毎に、推測された輝度に基づいて画像補正値が決定されてもよい。また、画素毎に、バックライト光の輝度が推測され、画素毎に、推測された輝度に基づいて画像補正値が決定されてもよい。
【００３５】
（第１処理部と第２処理部の動作）
図３は、第１処理部１０と第２処理部２０の処理フローの一例を示すフローチャートである。図３の処理フローは、フレーム毎に行われる。また、本実施例では、光源間で発光輝度が異なる場合があるため、図３の処理フローは、分割領域毎に行われる。即ち、フレーム毎に、各分割領域に対して図３の処理フローが行われる。
【００３６】
まず、特徴量転送部１０３，２０３が、特徴量取得部１０２，２０２で取得された特徴量の転送を行い、現フレーム（処理対象のフレーム）の入力画像データの特徴量を取得する（Ｓ１００１）。具体的には、特徴量転送部１０３が、特徴量取得部１０２で取得された特徴量（現フレームの分割画像データの特徴量）を特徴量転送部２０３に出力する。また、特徴量転送部１０３は、特徴量取得部２０２で取得された特徴量（現フレームの分割画像データの特徴量）を特徴量転送部２０３から取得する。そして、特徴量転送部１０３は、特徴量取得部１０２，２０２で取得された特徴量から、現フレームの入力画像データの特徴量を取得する。同様に、特徴量転送部２０３は、特徴量取得部２０２で取得された特徴量を特徴量転送部１０３に出力し、特徴量取得部１０２で取得された特徴量を特徴量転送部１０３から取得する。そして、特徴量転送部２０３は、特徴量取得部１０２，２０２で取得された特徴量から、現フレームの入力画像データの特徴量を取得する。
但し、特定表示期間では、所定の低輝度画像データの特徴量が取得される。
【００３７】
次に、制御部１０７が、現フレームが特定表示期間（バックライト制御モードの切り替えに伴う画像ミュートの期間）の直後のフレームであるか否かを判断する（Ｓ１００２）。現フレームが特定表示期間のフレームであると判断された場合には、Ｓ１００３へ処理が進められ、現フレームが特定表示期間のフレームでないと判断された場合には、Ｓ１００５へ処理が進められる。
特定表示期間の直後のフレームについて、そのフレームの入力画像データの特徴量に応じた値にバックライト３０の発光輝度を制御すると、バックライト３０の発光輝度が急激に変化してしまうことがある。そのため、本実施例では、Ｓ１００２の判断を行い、判断結果に応じて次に行う処理を切り替えている。
【００３８】
Ｓ１００３では、ちらつき判断部１０８，２０８が、現フレームの入力画像データの特
徴量（明るさ）が第１の閾値以上か否かを判断する。
上述したように、本実施例では、現フレームの画像データが明るいほど高い値にバックライト３０の発光輝度が制御される。そして、特定表示期間では、所定の低輝度画像データ（黒画像データ）が表示されるため、バックライト３０の発光輝度は低い値に制御される。そのため、現フレームの入力画像データの明るさが明るいほど、バックライト３０の発光輝度の上昇量が高く、ちらつきが発生する可能性も高い。一方、現フレームの入力画像データの明るさが明るいほど、バックライト３０の発光輝度の上昇量は低く、ちらつきが発生する可能性も低い。
そのため、ちらつき判断部１０８，２０８は、現フレームの入力画像データの特徴量が第１の閾値以上であると判断した場合に、ちらつきが発生すると判断する。そして、Ｓ１００４へ処理が進められる。
また、ちらつき判断部１０８，２０８は、現フレームの入力画像データの特徴量が第１の閾値未満であると判断した場合に、ちらつきが発生しないと判断する。そして、Ｓ１００５へ処理が進められる。
Ｓ１００３の判断結果に応じて次に行う処理が切り替えられるため、ちらつきが発生する可能性が高い場合にのみ、ちらつきを低減する処理を行うことができる。
なお、第１の閾値はどのような値であってもよい。第１の閾値は、メーカによって予め定められた固定値であってもよいし、ユーザが変更可能な値であってもよい。例えば、所定の低輝度画像データの特徴量が０であり、特徴量の取り得る値の最大値が２５５である場合には、第１の閾値として、１００，１５０，２００などが使用される。
【００３９】
Ｓ１００５では、演算部１０４，２０４が、現フレームの画像データ（入力画像データまたは所定の低輝度画像データ）の特徴量と直前のフレームの画像データ（入力画像データまたは所定の低輝度画像データ）の特徴量との差分を算出する。そして、Ｓ１００６へ処理が進められる。
【００４０】
Ｓ１００４では、演算部１０４，２０４が、現フレームの入力画像データの特徴量（明るさ）と所定の高輝度画像データの特徴量との差分を算出する。そして、Ｓ１００６へ処理が進められる。本実施例では、所定の高輝度画像データとして白画像データ（輝度値が最大の画像データ）が用いられる。画像データの輝度値の取り得る範囲が０以上２５５以下の範囲である場合、白画像データは輝度値が２５５の画像データである。
【００４１】
上述したように、本実施例では、現フレームの画像データが明るいほど高い値にバックライト３０の発光輝度が制御される。具体的には、現フレームの画像データの特徴量と直前のフレームの画像データの特徴量と特徴量との差分に応じた変化量で現フレームの直前のフレームについての発光輝度を変化させた値に、発光輝度が制御される。
しかしながら、特定表示期間の直後のフレームであると判断され、且つ、ちらつきが発生しないと判断されたフレームについてそのような処理を行ってしまうと、ちらつきが発生してしまう。
そこで、本実施例では、そのようなフレームについては、例外的に、現フレームの入力画像データの特徴量と高輝度画像データの特徴量との差分を用いて、バックライト３０の発光輝度を制御する。現フレームの入力画像データの特徴量が高い場合には、現フレームの入力画像データの特徴量と高輝度画像データの特徴量との差分は小さな値となるため、発光輝度の変化量を低減することができ、ちらつきを低減することができる。
【００４２】
Ｓ１００６では、演算部１０４，２０４が、Ｓ１００４またはＳ１００５で算出された差分に応じてバックライト制御値と画像補正値を算出する。具体的には、算出された差分が大きいほど大きい変化量を直前の１フレームについてのバックライト制御値に加算した値が、現フレームについてのバックライト制御値として算出される。そして、算出されたバックライト制御値に基づいて画像補正値が算出される。
【００４３】
次に、演算部１０４，２０４が、Ｓ１００６で算出したバックライト制御値をバックライト３０に設定（出力）し、Ｓ１００６で算出した画像補正値を画像補正部１０５に設定（出力）する（Ｓ１００７）。
【００４４】
（本実施例の効果）
図２（Ａ）〜２（Ｃ）は、本実施例の効果の一例を示す図である。
【００４５】
図２（Ａ）は、画像データ（入力画像データ、所定の低輝度画像データ）の特徴量の時間変化の一例を示す。図２（Ａ）において、縦軸は特徴量として取得された平均輝度値を示し、横軸は時間（フレーム番号）を示す。
１番目のフレームでは、入力画像データを表示するために、入力画像データの平均輝度値が取得される。
そして、１番目のフレームの期間の途中でバックライト制御モードの切り替えが行われたため、２〜４番目のフレームでは、画像ミュートが行われ、所定の低輝度画像データの平均輝度値が取得される。具体的には、黒画像の平均輝度値０が取得される。
５番目以降のフレームでは、バックライト制御モードの切り替えが完了したため、再び入力画像データの平均輝度値が取得される。
【００４６】
図２（Ｂ）は、図２（Ａ）に示すように平均輝度値が取得された場合のバックライト制御値の時間変化の一例を示す。図２（Ｂ）において、縦軸はバックライト制御値を示し、横軸は時間（フレーム番号）を示す。
１番目のフレームでは、取得された入力画像データの平均輝度値に応じたバックライト制御値が算出される。
２〜４番目のフレームでは、取得された平均輝度値０に応じたバックライト制御値０が算出される。
具体的には、１〜４番目のフレームでは、現フレームの平均輝度値と直前のフレームの平均輝度値の差分に応じたバックライト制御値が算出される。
５番目のフレームは、特定表示期間（画像ミュートの期間）の直後のフレームである。そのため、５番目のフレームでは、所定の高輝度画像データ（白画像データ）の特徴量を用いて小さい差分が算出され、ちらつきに繋がる急激なバックライト制御値の変化が抑制される。破線３１は、白画像データの特徴量を示し、破線３２は、取得された入力画像データの平均輝度値に応じたバックライト制御値を示す。
６番目以降のフレームでは、入力画像データの平均輝度値に応じたバックライト制御値が算出される。
【００４７】
図２（Ｃ）は、図２（Ａ）に示すように平均輝度値が取得され、図２（Ｂ）に示すようにバックライト制御値が算出された場合の表示画像の時間変化の一例を示す。
図２（Ｃ）から、本実施例では、特定表示期間の終了後に表示画像の輝度が急激に変化しておらず、ちらつきが低減されることがわかる。また、図２（Ｃ）から、画像データが適切な表示輝度で表示されないフレームは、特定表示期間の終了直後のフレームのみであり、特定表示期間の終了後に短時間で画像データの表示輝度が適切な値に遷移することがわかる。その結果、ちらつきを低減することができるだけでなく、表示品質の低下を抑制することもできる。具体的には、短時間で行われる表示輝度の遷移はユーザに知覚され難いため、画像データの表示品質の低下を目立たなくすることができる。
【００４８】
（従来例）
以下に、従来の技術を用いた場合に本発明の効果が得られないことを説明する。
図６（Ａ），６（Ｂ）は、現フレームが特定表示期間の直後のフレームか否かに拘わらず、画像データの特徴量（平均輝度値）に応じたバックライト制御値が算出される例を示
す。
図７（Ａ），７（Ｂ）は、現フレームが特定表示期間の直後のフレームか否かに拘わらず、バックライト制御値として固定値が設定される例を示す。
図８（Ａ），８（Ｂ）は、特定表示期間の終了後に、ちらつきが発生しない変化量でバックライトの発光輝度を徐々に変化させる例を示す。
図６（Ａ），７（Ａ），８（Ａ）は、図２（Ａ）に示すように平均輝度値が取得された場合のバックライト制御値の時間変化を示す。図６（Ｂ），７（Ｂ），８（Ｂ）は、図２（Ａ）に示すように平均輝度値が取得された場合の表示画像の時間変化を示す。図６（Ａ），７（Ａ），８（Ａ）において、縦軸はバックライト制御値を示し、横軸は時間（フレーム番号）を示す。
【００４９】
図６（Ａ）の例では、特定表示期間の直後のフレームである５番目のフレームにおいて、他のフレームと同様に、入力画像データの平均輝度値に応じたバックライト制御値が算出される。特定表示期間の直後のフレームの平均輝度値と特定表示期間内のフレームの平均輝度値との差分は大きいため、図６（Ａ）の例では、特定表示期間の直後にバックライト制御値が急激に変化してしまう。その結果、図６（Ｂ）に示すように、特定表示期間の直後に表示輝度が急激に変化し、大きなちらつきが発生してしまう。具体的には、表示輝度が低輝度から高輝度に変化し、大きなちらつきが発生してしまう。
【００５０】
図８（Ａ）の例では、バックライト制御値の変化量をちらつきが発生しない程度の変化量に制限することにより、バックライト制御値の急激な変化を抑制することができる。その結果、図８（Ｂ）に示すように、表示輝度の急激な変化が抑制され、ちらつきの発生を抑制することができる。
しかしながら、バックライト制御値の変化量をちらつきが発生しない程度の変化量に制限すると、特定表示期間が終了してから入力画像データに応じたバックライト制御値が設定されるまでに長時間要してしまう。その結果、特定表示期間が終了してから入力画像データが適切な表示輝度で表示されるまでに長時間要してしまう。換言すれば、特定表示期間が終了してからの長い時間に、入力画像データが不適切な表示輝度で表示されてしまう。図８（Ａ）の例では、特定表示期間の直後のフレームである５番目のフレームから５フレーム分もの時間をかけて、バックライト制御値が、制限された値から入力画像データに応じた値に遷移する。その結果、図８（Ｂ）に示すように、５番目のフレームから５フレーム分もの時間をかけて、入力画像データの表示輝度が、不適切な表示輝度から適切な表示輝度に遷移し、表示品質が大きく低下してしまう。具体的には、長時間かけて行われる表示輝度の遷移はユーザに知覚され易いため、画像データの表示品質の低下が目立ってしまう。
【００５１】
図７（Ａ）の例では、バックライト制御値として常に固定値が設定される。その結果、図７（Ｂ）に示すように、表示輝度の急激な変化が抑制され、ちらつきの発生を抑制することができる。
しかしながら、図７（Ａ）に示すように、特定表示期間でもバックライト制御値として高い値が設定されてしまうため、図７（Ｂ）に示すように、特定表示期間で黒浮き（表示品質の低下）が発生してしまう。
【００５２】
このように、従来の技術を用いたとしても、本実施例の効果を得ることはできない。
【００５３】
（まとめ）
以上述べたように、本実施例によれば、特定表示期間の直後のフレームであると判断され、且つ、ちらつきが発生すると判断されたフレームについては、例外的に、入力画像データの特徴量と白画像データの特徴量の差分に基づいて発光輝度が制御される。それにより、画像データの表示品質の低下を抑制しつつ、画面のちらつきを低減することができる
。
【００５４】
なお、本実施例では、所定の低輝度画像データが黒画像データである場合の例を説明したが、所定の低輝度画像データは黒画像データに限らない。例えば、所定の低輝度画像データは、グレー色や青色の画像データであってもよい。所定の低輝度画像データは、暗い画像データ（例えば、白画像データの明るさの半分の明るさよりも暗い画像データ）であれば、その明るさや色は特に限定されない。
また、本実施例では、所定の高輝度画像データが白画像データである場合の例を説明したが、所定の高輝度画像データは白画像データに限らない。所定の高輝度画像データは、明るい画像データ（例えば、白画像データの明るさの半分の明るさよりも明るい画像データ）であれば、その明るさや色は特に限定されない。
【００５５】
なお、本実施例では、特定表示期間の直後のフレームであると判断され、且つ、ちらつきが発生すると判断されたフレームについて例外処理を行う例を説明したが、これに限らない。ちらつきは特定表示期間後に発生するため、ちらつきが発生するか否かの判断は行われずに、特定表示期間の直後のフレームについて例外処理が行われてもよい。
【００５６】
なお、本実施例では、明るさの差分に基づいて発光輝度を制御する例を説明したが、発光輝度の制御方法はこれに限らない。例外処理では、現フレームの入力画像データの明るさに応じた値と所定の低輝度画像データの明るさに応じた値との間の値に発光輝度が制御されればよい。例えば、現フレームの入力画像データから、当該入力画像データの明るさに応じた目標輝度が算出され、所定の低輝度画像データから、当該所定の低輝度画像データの明るさに応じた目標輝度が算出されてもよい。そして、算出された２つの目標輝度の間の値に発光輝度が制御されてもよい。また、例外処理を行わない場合には、現フレームの画像データの特徴量のみを用いて発光輝度が制御されてもよい。
【００５７】
なお、本実施例では、特徴量が平均輝度値である場合の例を説明したが、特徴量は平均輝度値に限らない。例えば、特徴量は、画像データの画素値（ＲＧＢ値など）の代表値、画素値のヒストグラム、輝度値の代表値、輝度値のヒストグラム、などであってもよい。代表値は、最小値、最大値、最頻値、中間値、平均値、などである。
【００５８】
なお、本実施例では、第１処理部と第２処理部の２つの処理部を有する表示装置の例を説明したが、処理部の数は２より多くても少なくてもよい。例えば、第１処理部と第２処理部で行われた処理が１つの処理部で行われてもよい。１つの処理部で複数の分割画像データを用いた処理が個別に行われてもよいし、入力画像データの分割が行われずに、１つの処理部が入力画像データを用いた処理を行ってもよい。また、入力画像データが３つの分割画像データに分割され、３つの分割画像データが３つの処理部に入力されてもよい。そして、各処理部が、入力された分割画像データを用いた処理を行ってもよい。
【００５９】
なお、本実施例では、分割領域毎に図３の処理フローを実行する例を説明したが、これに限らない。特定表示期間の前と後の両方においてバックライト制御値が入力画像データの全体の明るさに基づいて決定される場合には、画面全体の領域について図３の処理フローが実行されてもよい。また、そのような場合には、バックライトは、光源として、画面全体の領域に対応する１つの光源のみを有していてもよい。
【００６０】
なお、本実施例では、動作モードがバックライト制御モードであり、切り替え前の動作モードの期間と切り替え後の動作モードの期間との間に特定表示期間を設定する例を説明した。
しかし、動作モードはバックライト制御モードに限らない。例えば、動作モードは、画像処理の方法を指定するモードであってもよいし、表示装置の平均的な消費電力を指定す
るモードであってもよい。動作モードは、表示装置の動作を指定するものであればよい。
また、特定表示期間は上記期間に限らない。例えば、特定表示期間は、画像ミュートを行うユーザ操作に応じて設定されてもよい。また、表示する画像データの変更時に特定表示期間が設定されてもよい。画像データを表示装置内に入力する複数の入力インタフェースを有しており、表示に使用する入力インタフェースの変更時に特定表示期間が設定されてもよい。特定表示期間は、画像データを表示装置内に入力する際に使用する画像データケーブルが表示装置から外されてから、画像データケーブルが表示装置に接続されるまでの期間であってもよい。
【００６１】
＜実施例２＞
以下、図面を参照しながら、本発明の実施例２に係る表示装置及びその制御方法について説明する。
本実施例では、ちらつきが発生するか否かを実施例１と異なる方法で判断する。
なお、以下では、実施例１と異なる構成や処理について説明し、実施例１と同じ構成や処理については説明を省略する。
【００６２】
（全体構成）
図４は、本実施例に係る表示装置２の構成の一例を示すブロック図である。
図４に示すように、表示装置２は、実施例１の表示装置１が有する機能部の他に、特徴量保持部１０９，２０９をさらに有する。
【００６３】
特徴量保持部１０９，２０９は、特定表示期間の直前のフレームの入力画像データの特徴量を取得し、保持（保存）する。具体的には、特徴量保持部１０９は、特定表示期間の直前のフレームの入力画像データの特徴量を、演算部１０４から取得し、保持する。同様に、特徴量保持部２０９は、特定表示期間の直前のフレームの入力画像データの特徴量を、演算部２０４から取得し、保持する。
そして、特徴量保持部１０９は、特定表示期間の直後のフレームについてのバックライト制御値を決定するときに、保持している特徴量を演算部１０４に出力する。具体的には、特定表示期間の直後のフレームについてのバックライト制御値を決定するときに、演算部１０４から特徴量保持部１０９へ特徴量出力要求が送られる。そして、特徴量保持部１０９は、特徴量取得要求に応じて、保持している特徴量を演算部１０４に出力する。
同様に、特徴量保持部２０９は、特定表示期間の直後のフレームについてのバックライト制御値を決定するときに、保持している特徴量を演算部２０４に出力する。
【００６４】
ちらつき判断部１０８，２０８は、特定表示期間の直後のフレームの入力画像データの明るさと特定表示期間の直前のフレームの入力画像データの明るさとの差分が第２の閾値以上か否かを判断する。
特定表示期間の直後のフレームの入力画像データの明るさと特定表示期間の直前のフレームの入力画像データの明るさとの差分が大きいほど、特定表示期間の前後で入力画像データが異なる可能性は高い。そして、特定表示期間の前後で入力画像データが異なる場合には、特定表示期間の直後のフレームの画像データの明るさが明るくても、ちらつきが知覚され難い。
そのため、ちらつき判断部１０８，２０８は、上記差分が第２の閾値以上であると判断した場合に、ちらつきが発生しないと判断し、上記差分が第２の閾値未満であると判断した場合に、ちらつきが発生すると判断する。
【００６５】
ちらつきを低減する例外処理を行うと、バックライト制御値が入力画像データに応じた値になるまでに１フレーム期間の遅延が生じる。そして、特定表示期間の前後で入力画像データが異なる場合には、例外処理を行わなくてもちらつきは知覚され難いため、上記遅延は不要な遅延となる。本実施例では、特定表示期間の前後で入力画像データが異なる場
合には、ちらつきが発生しないと判断され、ちらつきを低減する例外処理は行われない。そのため、不要な遅延の発生を抑制することができる。
【００６６】
なお、第２の閾値はどのような値であってもよい。第２の閾値は、メーカによって予め定められた固定値であってもよいし、ユーザが変更可能な値であってもよい。例えば、画像データの特徴量が０以上２５５以下の範囲内の値を取り得る場合には、第２の閾値として、１００，１５０，２００などが使用される。
なお、実施例１と同様に、特定表示期間の直後のフレームの入力画像データの明るさが第１の閾値以上か否かがさらに判断されてもよい。特定表示期間の直後のフレームの入力画像データの明るさが第１の閾値以上であると判断され、且つ、上記差分が第２の閾値未満であると判断された場合に、ちらつきが発生すると判断されてもよい。そして、それ以外の場合に、ちらつきが発生しないと判断されてもよい。それにより、より高精度にちらつきが発生するか否かを判断することができる。
【００６７】
（第１処理部と第２処理部の動作）
図５は、第１処理部１０と第２処理部２０のバックライト制御モードの切り替え時における処理フローの一例を示すフローチャートである。
【００６８】
まず、特徴量転送部１０３，２０３が、実施例１（図３）のＳ１００１と同様に、現フレームの画像データ（入力画像データまたは所定の低輝度画像データ）の特徴量を取得する（Ｓ２００１）。
【００６９】
次に、制御部１０７が、現フレームが特定表示期間の直前のフレームであるか否かを判断する（Ｓ２００２）。現フレームが特定表示期間のフレームであると判断された場合には、Ｓ２００３へ処理が進められ、現フレームが特定表示期間のフレームでないと判断された場合には、Ｓ２００４へ処理が進められる。
【００７０】
Ｓ２００３では、特徴量保持部１０９，２０９が、Ｓ２００１で取得された特徴量を保持する。具体的には、演算部１０４が、Ｓ２００１で取得した特徴量を特徴量保持部１０９に出力し、特徴量保持部１０９が、入力された特徴量を保持する。同様に、演算部２０４が、Ｓ２００１で取得した特徴量を特徴量保持部２０９に出力し、特徴量保持部２０９が、入力された特徴量を保持する。その後、Ｓ２００７へ処理が進められる。
【００７１】
Ｓ２００４では、制御部１０７が、実施例１（図３）のＳ１００２と同様に、現フレームが特定表示期間の直後のフレームであるか否かを判断する。現フレームが特定表示期間のフレームであると判断された場合には、Ｓ２００５へ処理が進められ、現フレームが特定表示期間のフレームでないと判断された場合には、Ｓ２００７へ処理が進められる。
【００７２】
Ｓ２００５では、演算部１０４が、Ｓ２００１で取得された特徴量（特定表示期間の直後のフレームの特徴量）と特徴量保持部１０９に保持されている特徴量（特定表示期間の直前のフレームの特徴量）との差分Ｄｅｆを算出する。同様に、演算部２０４が、Ｓ２００１で取得された特徴量と特徴量保持部２０９に保持されている特徴量との差分Ｄｅｆを算出する。そして、演算部１０４，２０４は、算出した差分Ｄｅｆが第２の閾値以上か否かを判断する。算出した差分Ｄｅｆが第２の閾値以上であると判断された場合には、Ｓ２００７へ処理が進められ、算出した差分Ｄｅｆが第２の閾値未満であると判断された場合には、Ｓ２００６へ処理が進められる。
【００７３】
Ｓ２００６〜Ｓ２００９の処理は、実施例１（図３）のＳ１００４〜Ｓ１００７の処理と同様であるため、その説明は省略する。
【００７４】
（まとめ）
以上述べたように、本実施例によれば、ちらつきが発生するか否かが実施例１と異なる方法で判断される。そして、実施例１と同様に、画像データの表示品質の低下を抑制しつつ、画面のちらつきを低減することができる。
【００７５】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００７６】
１，２  表示装置
１０  第１処理部
２０  第２処理部
３０  バックライト
４０  液晶パネル
１０４，２０４  演算部
１０７  制御部
【図１】
2015081996.tif 000003
【図２】
2015081996.tif 000004
【図３】
2015081996.tif 000005
【図４】
2015081996.tif 000006
【図５】
2015081996.tif 000007
【図６】
2015081996.tif 000008
【図７】
2015081996.tif 000009
【図８】
2015081996.tif 000010